(57)【特許請求の範囲】
【請求項１】
棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査方法であって、
前記接続端子の先端部に位置する前記溶着部材に突入する前記導線の突入部分が１箇所となるように設定するとともに、
前記接続部を含む前記接続端子の外観を撮影する撮影手段と、前記接続端子を有する検査対象物を支持する支持手段との少なくとも一方を前記接続端子の周方向に相対回転させて前記接続端子の外観を１周以上の範囲に亘って撮影し、その撮影に基づいた同範囲の１つの展開画像を生成し、該展開画像に基づく前記接続部における前記１箇所の突入部分の外観からその接続状態の良否を判定することを特徴とする接続部の接続状態検査方法。
【請求項２】
請求項１に記載の接続部の接続状態検査方法において、
前記接続端子の外観を周方向において所定角度範囲毎に分割して撮影し、分割された画像を合成して前記展開画像を生成することを特徴とする接続部の接続状態検査方法。
【請求項３】
請求項１又は２に記載の接続部の接続状態検査方法において、
前記展開画像を表示手段にて表示し、表示した展開画像に基づいて前記接続部の接続状態の良否を判定することを特徴とする接続部の接続状態検査方法。
【請求項４】
請求項１〜３のいずれか１項に記載の接続部の接続状態検査方法において、
溶接後玉状となる前記溶着部材に突入する前記導線の前記１箇所の突入部分の線径若しくは断線に基づいて、前記接続部の接続状態の良否を判定することを特徴とする接続部の接続状態検査方法。
【請求項５】
請求項１〜４のいずれか１項に記載の接続部の接続状態検査方法において、
前記展開画像の画像処理を行って、前記接続部の接続状態の良否を自動で判定することを特徴とする接続部の接続状態検査方法。
【請求項６】
棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査方法であって、
前記接続端子の先端部に位置する前記溶着部材に突入する前記導線の突入部分が１箇所となるように設定するとともに、
前記接続部を含む前記接続端子の外観を撮影する撮影手段と、前記接続端子を有する検査対象物を支持する支持手段との少なくとも一方を前記接続端子の周方向に相対回転させて前記接続端子の外観を半周を超える範囲に亘って撮影し、その撮影に基づいた同範囲の１つの展開画像を生成し、該展開画像に基づく前記接続部における前記１箇所の突入部分の外観からその接続状態の良否を判定することを特徴とする接続部の接続状態検査方法。
【請求項７】
棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査方法であって、
前記接続端子の先端部に位置する前記溶着部材に突入する前記導線の突入部分が１箇所となるように設定するとともに、
前記接続部を含む前記接続端子の外観を撮影する撮影手段と、前記接続端子を有する検査対象物を支持する支持手段との少なくとも一方を前記接続端子の周方向に相対回転させて前記接続端子の外観を所定角度範囲毎に分割して撮影し、分割された画像を合成して１つの展開画像を生成し、該展開画像に基づく前記接続部における前記１箇所の突入部分の外観からその接続状態の良否を判定することを特徴とする接続部の接続状態検査方法。
【請求項８】
棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査装置であって、
前記接続端子の先端部に位置する前記溶着部材に突入する前記導線の突入部分が１箇所となるように設定するとともに、
前記接続部を含む前記接続端子の外観を撮影する撮影装置と、
前記接続端子を有する検査対象物を支持する支持装置と、
前記接続端子の外観を１周以上の範囲に亘って撮影すべく、前記撮影装置及び前記支持装置の少なくとも一方を前記接続端子の周方向に相対回転させる回転装置と、
前記接続部における前記１箇所の突入部分の外観から接続状態の良否を判定すべく、前記撮影に基づいた前記範囲の１つの展開画像を生成するデータ処理装置と
を備えたことを特徴とする接続部の接続状態検査装置。
【請求項９】
棒状の接続端子の外周にレゾルバ巻線を複数回巻き付け、該巻線の巻き付け部分を含む前記接続端子の先端部に溶着部材を用いた溶接が実施され、前記巻線と前記接続端子とが接続されてなる接続部を有するレゾルバステータであって、
溶接後玉状となる前記溶着部材に包含されない部分においても前記巻線の巻き付け部分が残るように、前記巻線の前記接続端子への巻き付けが実施されるとともに、
前記接続端子に巻き付けられた前記巻線の前記接続端子の長手方向における間隔は、溶接後玉状となる前記溶着部材内の部分よりも前記溶着部材に包含されない部分の方が幅広となっており、
溶接後玉状となる前記溶着部材に突入する前記巻線の突入部分が１箇所となるように設定されたことを特徴とするレゾルバステータ。
【発明の詳細な説明】
【技術分野】
【０００１】
本発明は、レゾルバステータに備えられる巻線の端部と接続端子との接続部等、接続端子に導線の端部を巻き付け、巻き付け後に半田等の溶着部材を用いた溶接を実施して相互を接続した、その接続部の接続状態検査方法及び装置に関するものである。
【背景技術】
【０００２】
従来、レゾルバステータには、例えば特許文献１にて示されるように、接続端子（文献中ではピン）の外周に巻線の端部を巻き付けて、相互を接続するようにしたものがある。この場合、一般的に、端子の巻線巻き付け部分に半田付けが行われている。
【０００３】
また特許文献２では、レゾルバステータに関する技術ではないが、トランスの巻線の端部を接続端子に巻き付けて半田付けする技術が開示されている。
【特許文献１】特開２００２−２８１７１６号公報（第７図）
【特許文献２】特開平８−２１３２５６号公報（第４図）
【発明の開示】
【発明が解決しようとする課題】
【０００４】
ところで、端子に巻線の端部を巻き付け半田付けするものにおいては、半田付け時の熱及び応力集中により半田部分に突入する部分の巻線が溶けて断線したり細くなったりすることがある。このような場合、端子と巻線との間が不通又は抵抗が増大するため不良品として選別する必要がある。つまり、このまま後工程を継続すれば後工程が無駄になってしまうためである。
【０００５】
そこで、従来では、半田部分に巻線が突入する部分を含めた接続部の外観を径方向外側からＣＣＤカメラ等で拡大撮影し、撮影した画像を基に作業者が巻線の断線や細り（縮径化）等の不良が生じていないかを判定する検査方法が用いられている。このとき、巻線の突入部分は、製品毎の半田形状等の違いにより端子の突入部分の周方向位置が一定とならないため、この検査方法では、接続部を周方向に複数の角度毎に一周分撮影し、作業者がその多数の画像から巻線の突入部分が撮影された画像を探し出して、巻線の突入部分の良否判定が行われている。
【０００６】
しかしながら、多数の画像の中から巻線の突入部分が撮影された画像を探し出すのに時間と手間がかかり、巻線の突入部分の良否判定に多くの時間と工数が必要で、製造コストの上昇を招いていた。
【０００７】
本発明は、上記課題を解決するためになされたものであって、その目的は、接続端子に導線を巻き付け溶着部材を用いた溶接を実施して接続されてなる接続部を備えた製品に対し、接続部の接続状態の良否判定を容易かつ短時間で行うことができる接続部の接続状態検査方法及びその装置を提供し、更にはその検査に好適な構造を有するレゾルバステータを提供することにある。
【課題を解決するための手段】
【０００８】
上記課題を解決するために、請求項１に記載の発明は、棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査方法であって、前記接続端子の先端部に位置する前記溶着部材に突入する前記導線の突入部分が１箇所となるように設定するとともに、前記接続部を含む前記接続端子の外観を撮影する撮影手段と、前記接続端子を有する検査対象物を支持する支持手段との少なくとも一方を前記接続端子の周方向に相対回転させて前記接続端子の外観を１周以上の範囲に亘って撮影し、その撮影に基づいた同範囲の１つの展開画像を生成し、該展開画像に基づく前記接続部における前記１箇所の突入部分の外観からその接続状態の良否を判定することをその要旨とする。
【０００９】
請求項２に記載の発明は、請求項１に記載の接続部の接続状態検査方法において、前記接続端子の外観を周方向において所定角度範囲毎に分割して撮影し、分割された画像を合成して前記展開画像を生成することをその要旨とする。
【００１０】
請求項３に記載の発明は、請求項１又は２に記載の接続部の接続状態検査方法において、前記展開画像を表示手段にて表示し、表示した展開画像に基づいて前記接続部の接続状態の良否を判定することをその要旨とする。
【００１１】
請求項４に記載の発明は、請求項１〜３のいずれか１項に記載の接続部の接続状態検査方法において、溶接後玉状となる前記溶着部材に突入する前記導線の前記１箇所の突入部分の線径若しくは断線に基づいて、前記接続部の接続状態の良否を判定することをその要旨とする。
【００１２】
請求項５に記載の発明は、請求項１〜４のいずれか１項に記載の接続部の接続状態検査方法において、前記展開画像の画像処理を行って、前記接続部の接続状態の良否を自動で判定することをその要旨とする。
【００１３】
請求項６に記載の発明は、棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査方法であって、前記接続端子の先端部に位置する前記溶着部材に突入する前記導線の突入部分が１箇所となるように設定するとともに、前記接続部を含む前記接続端子の外観を撮影する撮影手段と、前記接続端子を有する検査対象物を支持する支持手段との少なくとも一方を前記接続端子の周方向に相対回転させて前記接続端子の外観を半周を超える範囲に亘って撮影し、その撮影に基づいた同範囲の１つの展開画像を生成し、該展開画像に基づく前記接続部における前記１箇所の突入部分の外観からその接続状態の良否を判定することをその要旨とする。
【００１４】
請求項７に記載の発明は、棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査方法であって、前記接続端子の先端部に位置する前記溶着部材に突入する前記導線の突入部分が１箇所となるように設定するとともに、前記接続部を含む前記接続端子の外観を撮影する撮影手段と、前記接続端子を有する検査対象物を支持する支持手段との少なくとも一方を前記接続端子の周方向に相対回転させて前記接続端子の外観を所定角度範囲毎に分割して撮影し、分割された画像を合成して１つの展開画像を生成し、該展開画像に基づく前記接続部における前記１箇所の突入部分の外観からその接続状態の良否を判定することをその要旨とする。
【００１５】
請求項８に記載の発明は、棒状の接続端子の外周に導線を複数回巻き付け、該導線の巻き付け部分を含む前記接続端子の先端部に溶着部材を用いた溶接を実施し、前記導線と前記接続端子とを接続したその接続部の接続状態検査装置であって、前記接続端子の先端部に位置する前記溶着部材に突入する前記導線の突入部分が１箇所となるように設定するとともに、前記接続部を含む前記接続端子の外観を撮影する撮影装置と、前記接続端子を有する検査対象物を支持する支持装置と、前記接続端子の外観を１周以上の範囲に亘って撮影すべく、前記撮影装置及び前記支持装置の少なくとも一方を前記接続端子の周方向に相対回転させる回転装置と、前記接続部における前記１箇所の突入部分の外観から接続状態の良否を判定すべく、前記撮影に基づいた前記範囲の１つの展開画像を生成するデータ処理装置とを備えたその要旨とする。
【００１６】
請求項９に記載の発明は、棒状の接続端子の外周にレゾルバ巻線を複数回巻き付け、該巻線の巻き付け部分を含む前記接続端子の先端部に溶着部材を用いた溶接が実施され、前記巻線と前記接続端子とが接続されてなる接続部を有するレゾルバステータであって、溶接後玉状となる前記溶着部材に包含されない部分においても前記巻線の巻き付け部分が残るように、前記巻線の前記接続端子への巻き付けが実施されるとともに、前記接続端子に巻き付けられた前記巻線の前記接続端子の長手方向における間隔は、溶接後玉状となる前記溶着部材内の部分よりも前記溶着部材に包含されない部分の方が幅広となっており、溶接後玉状となる前記溶着部材に突入する前記巻線の突入部分が１箇所となるように設定されたことをその要旨とする。
【００１８】
（作用）
請求項１，８に記載の発明によれば、接続端子の外周に導線を巻き付け、その巻き付け部分を含む接続端子に溶着部材を用いた溶接が実施されて相互が接続された接続部において、該接続部を撮影する撮影手段と該接続部を有する検査対象物との少なくとも一方が相対回転され、接続端子の外観が１周以上の範囲に亘って撮影される。そして、その撮影に基づいた同範囲の１つの展開画像が生成され、該展開画像に基づく接続部の外観からその接続状態の良否が判定される。これにより、良否判定を１つの展開画像を参照するだけで行うことができるため、容易かつ短時間で行うことが可能となる。
また、溶着部材に突入する導線の突入部分が１箇所に設定されるため、接続部の良否判定を行う突入部分の特定が容易で、判定も１箇所で済み容易である。
【００１９】
請求項２に記載の発明によれば、接続端子の外観が周方向の所定角度範囲毎に分割されて撮影され、分割された画像を合成して展開画像が生成される。これにより、撮影手段が接続端子の側面から一度に撮影可能な範囲以下で撮影し、それを合成するだけで展開画像を生成できるため、回転させながら撮影するといった複雑な撮影手法を用いないで、容易に展開画像を生成できる。
【００２０】
請求項３に記載の発明によれば、展開画像を表示手段にて表示し、表示した展開画像に基づいて接続部の良否判定が行われるため、画像表示により良否判定をより確実に行うことができるようになる。
【００２１】
請求項４に記載の発明によれば、溶接後玉状となる溶着部材に突入する導線の１箇所の突入部分の線径若しくは断線に基づいて接続部の良否判定が行われる。つまり、溶接時の熱及び応力集中により、導線の突入部分に細り（縮径）や断線が生じ易いため、これに着目し、その突入部分の線径が正常範囲内か、細りや断線が生じているかを判定するだけで、容易かつ確実に接続部の良否判定を行うことができるようになる。
【００２３】
請求項５に記載の発明によれば、展開画像の画像処理を行って接続部の良否判定が自動で行われることから、作業者による判定を省略できる。更に請求項１では１箇所の突入部分のみに着目すれば済むため、判定の自動化が容易である。
【００２４】
請求項６に記載の発明によれば、接続端子の外周に導線を巻き付け、その巻き付け部分を含む接続端子に溶着部材を用いた溶接が実施されて相互が接続された接続部において、該接続部を撮影する撮影手段と該接続部を有する検査対象物との少なくとも一方が相対回転され、接続端子の外観が半周を超える範囲に亘って撮影される。そして、その撮影に基づいた同範囲の１つの展開画像が生成され、該展開画像に基づく接続部の外観からその接続状態の良否が判定される。これにより、良否判定を、１方向から観ることができない部分を含み１つの展開画像を参照するだけで行うことができるため、容易かつ短時間で行うことが可能となる。すなわち、本発明は、接続状態の良否判定を行うための接続端子の外観の撮影が全周を要しない場合を含むものである。
【００２５】
請求項７に記載の発明によれば、接続端子の外周に導線を巻き付け、その巻き付け部分を含む接続端子に溶着部材を用いた溶接が実施されて相互が接続された接続部において、該接続部を撮影する撮影手段と該接続部を有する検査対象物との少なくとも一方が相対回転され、接続端子の外観が所定角度範囲毎に分割して撮影される。そして、分割された画像を合成して１つの展開画像が生成され、該展開画像に基づく接続部の外観からその接続状態の良否が判定される。これにより、良否判定を、分割された画像を合成して好適な１つの展開画像を参照するだけで行うことができるため、容易かつ短時間で行うことが可能となる。
また、請求項６，７に記載の発明によれば、溶着部材に突入する導線の突入部分が１箇所に設定されるため、接続部の良否判定を行う突入部分の特定が容易で、判定も１箇所で済み容易である。
【００２６】
請求項９に記載の発明のレゾルバステータによれば、溶着部材に突入するレゾルバ巻線の突入部分が１箇所に設定されるため、上記検査方法を用いて接続部の良否判定を行う際に有効となる巻線の突入部分の特定が容易で、判定も１箇所で済み容易となるというように、接続部の良否判定に好適な構造とすることができる。
【００２７】
また、溶接後玉状となる溶着部材に包含されない部分の巻き付け部分により、巻線の突入部分に負荷が加わり難く該突入部分が安定するため、溶着部材への突入部分が１箇所となる良好な溶接が容易となる。
【発明の効果】
【００２８】
従って、請求項１〜８の発明によれば、接続端子に導線を巻き付け溶着部材を用いた溶接を実施して接続されてなる接続部を備えた製品に対し、接続部の接続状態の良否判定を容易かつ短時間で行うことができる接続部の接続状態検査方法及びその装置を提供することができる。
【００２９】
また、請求項９の発明によれば、その検査に好適な構造を有するレゾルバステータを提供することができる。
【発明を実施するための最良の形態】
【００３０】
以下、本発明を具体化した一実施の形態を図面に従って説明する。
図１は、本実施の形態におけるブラシレスモータ１の断面図である。ブラシレスモータ１は、運転者のステアリング操作をアシストすることを主たる目的とした車両用電動パワーステアリング装置に組み付けられている。
【００３１】
図１に示すように、ブラシレスモータ１は、ステータコア３の複数のティース３ａにそれぞれモータ巻線２が巻回されてなる環状のステータ４と、該ステータ４の内側に配置されて回転軸５とともに一体回転するロータ６と、該ロータ６の回転角を検出するレゾルバ７とを備えている。
【００３２】
ブラシレスモータ１のモータケース１０は、有底筒状に形成されたヨークハウジング１１と、該ヨークハウジング１１の開口部１１ａを閉塞するエンドプレート１２とからなり、ステータ４はそのヨークハウジング１１の内周面に固定されている。ステータ４には、モータ巻線２に三相（Ｕ，Ｖ，Ｗ相）の駆動電源の供給がなされることにより、回転磁界が発生するようになっている。
【００３３】
ロータ６は、その回転軸５がヨークハウジング１１の底部１１ｂ及びエンドプレート１２に設けられた軸受１３，１４により回転可能に支持され、ステータ４の内側に配置されている。ロータ６は、マグネット飛散防止用の円筒カバー６ａの内部に複数個のマグネット（図示略）を有している。ロータ６は、ステータ４にて生じる回転磁界の影響を受け回転する。
【００３４】
レゾルバ７は、回転軸５（ロータ６）とともに一体回転するレゾルバロータ２１と、該レゾルバロータ２１の外側に配置される環状のレゾルバステータ２２とを備えている。レゾルバロータ２１は、磁性鋼鈑を積層して環状に構成され、回転軸５に固定される。レゾルバステータ２２は、エンドプレート１２の内側に設けた収容凹部１２ａに嵌挿され、反挿入側が支持プレート１５により支持されて取付ネジ１６により固定される。
【００３５】
レゾルバステータ２２は、磁性鋼鈑を積層してなり、図２（ａ）（ｂ）に示すように、複数のティース２３ａを有するステータコア２３と、主としてティース２３ａの外側面に一体成形される樹脂製のインシュレータ２４と、該インシュレータ２４を介してティース２３ａに巻回されたレゾルバ巻線２５とを備えている。尚、レゾルバ巻線２５は、励磁電圧が印加される一相の励磁巻線と、該励磁巻線の励磁に基づいてレゾルバロータ２１の回転に応じた位相の異なる出力信号を出力する二相の出力巻線とからなり、それぞれ所定位置のティース２３ａに巻回されている。
【００３６】
また、レゾルバステータ２２には、レゾルバコネクタ２６が一体に設けられている。レゾルバコネクタ２６は、その樹脂製のコネクタ本体２７がレゾルバステータ２２の外周から径方向外側に向かって突設するようにレゾルバステータ２２に一体形成されている。因みに、コネクタ本体２７はインシュレータ２４と同一の樹脂材料よりなり、インシュレータ２４と同時に成形される。レゾルバコネクタ２６には４本のターミナル２８が備えられ、各ターミナル２８の所定部位がコネクタ本体２７に埋設されて支持されている。
【００３７】
コネクタ本体２７の基端一側面には、四角棒状の５本の接続ポール２９が一直線に並んで立設されている。５本の接続ポール２９のうち４本は、各ターミナル２８に一体に形成されている。各ターミナル２８にそれぞれ一体形成される４本の接続ポール２９は各ターミナル２８とレゾルバ巻線２５との接続を図るものであり、残りの１本の接続ポール２９はレゾルバ巻線２５間の接続を図るためのものである。
【００３８】
図３に示すように、接続ポール２９の外周には、その基端部から先端部に向かって螺旋状にレゾルバ巻線２５の巻線端部２５ａが巻き付けられ、巻線端部２５ａの巻き付け部分を含む接続ポール２９の先端部に半田付けがなされる。因みに、本実施の形態では、接続ポール２９の先端部には玉状の半田３０が付着するが、この半田３０への巻線端部２５ａの突入部分２５ｂが１箇所となるように、巻線端部２５ａの巻き付ける間隔や傾斜角度等が設定されている。これは、接続ポール２９の先端における接続部Ｘ（半田３０への巻線端部２５ａの突入部分２５ｂの形状等）の良否判定をし易くするためになされている。
【００３９】
また、接続ポール２９の基端部においては、半田３０に包含されない巻線端部２５ａの巻き付け部分を残すようにしている。つまり、巻線端部２５ａの突入部分２５ｂに負荷が加わり難く該突入部分２５ｂが安定するため、半田３０への突入部分２５ｂが１箇所となる良好な半田付けが可能となっている。
【００４０】
また、レゾルバコネクタ２６は、図１に示すように、外部から延びる信号配線３１の接続コネクタ３１ａと接続され、外部に設けられる制御装置（図示略）とレゾルバ巻線２５とを電気的に接続する。制御装置は、レゾルバ巻線２５のうちの励磁巻線を励磁させつつ出力巻線から得られる出力信号に基づいてレゾルバロータ２１、即ちモータ１のロータ６の回転位置を検出し、ステータ４（モータ巻線２）に供給する三相駆動電源を生成している。因みに、信号配線３１はエンドプレート１２に設けた配線挿通孔１２ｂから挿入され、該配線挿通孔１２ｂには防水防塵用のグロメット３２が装着されている。
【００４１】
ところで、上記したレゾルバ７を構成するレゾルバステータ２２においては、エンドプレート１２への装着前に、接続ポール２９先端の接続部Ｘの良否判定が行われている。この良否判定には、図４に示すような検査装置５０が用いられる。
【００４２】
検査装置５０は、撮影装置としてのＣＣＤカメラ５１、支持回転装置５２及びパソコン等のデータ処理装置５３を備えている。ＣＣＤカメラ５１は、接続ポール２９の斜め上方から接続部Ｘの画像を拡大撮影すべく移動不能に配置されている。この場合、隣接する接続ポール２９が同時に撮影されないようにＣＣＤカメラ５１の配置位置が設定されている。また、ＣＣＤカメラ５１は、接続ポール２９先端の接続部Ｘの周方向において所定角度範囲（十数度又は数十度範囲）の画像を撮影し、その画像データをデータ処理装置５３に出力する。
【００４３】
支持回転装置５２は、検査対象のレゾルバステータ２２を支持するとともに、支持したレゾルバステータ２２を所定角度毎に回転させる。この場合、支持回転装置５２には、今回撮影の対象となる接続ポール２９がその回転中心となるようにレゾルバステータ２２が支持される。また、支持回転装置５２は、ＣＣＤカメラ５１が隣接する撮影範囲の画像データを順次出力できるようにその撮影範囲に対応した角度毎にレゾルバステータ２２を回転させ、該ＣＣＤカメラ５１の撮影動作と交互に駆動される。因みに、ＣＣＤカメラ５１の撮影範囲は隣接する同士で若干ラップさせている。また、ＣＣＤカメラ５１の全体の撮影範囲は、接続ポール２９の１周（３６０°）よりも若干広い範囲に設定されている。そして、接続ポール２９は５本であることから、該接続ポール２９の本数分、レゾルバステータ２２の支持位置を変更してＣＣＤカメラ５１による撮影が実施される。
【００４４】
データ処理装置５３は、支持回転装置５２からの位置データに加え、ＣＣＤカメラ５１から図５（ａ）に示すような１周＋α（ラップ分）の分割画像データが順次入力される。データ処理装置５３は、位置データを参照しつつ各分割画像データを合成し、図５（ｂ）に示すような１つの展開画像データを生成する。データ処理装置５３は、その１つの展開画像データに基づき表示部５４にて接続部Ｘの１周＋αの展開画像を表示させる。
【００４５】
そして、作業者は、表示部５４にて表示された接続部Ｘの展開画像に基づいて、半田３０への巻線端部２５ａの突入部分２５ｂの形状が図５（ｃ）のように良好（正常範囲内）か、図５（ｄ）のように細り（縮径化）や図５（ｅ）のように断線が生じているか等からレゾルバステータ２２の良否判定を行う。巻線端部２５ａの突入部分２５ｂに細りや断線が生じている場合には、検査したレゾルバステータ２２が不良品として選別される。
【００４６】
次に、本実施の形態の特徴的な作用効果を記載する。
（１）レゾルバ７を構成するレゾルバステータ２２においては、レゾルバ巻線２５の巻線端部２５ａが接続ポール２９の外周に巻き付けられ、その巻き付け部分を含む接続ポール２９に半田付けが実施され相互が接続されて構成されている。この接続ポール２９先端の接続部Ｘは、レゾルバステータ２２の支持及び回転を行う支持回転装置５２とＣＣＤカメラ５１とを用い、１周以上の範囲に亘って外観が撮影される。そして、その撮影に基づいた同範囲の１つの展開画像がデータ処理装置５３にて生成され、該展開画像に基づく接続部Ｘの外観からその接続状態の良否を判定するようにしている。これにより、良否判定を１つの展開画像を参照するだけで行うことができるため、容易かつ短時間で行うことができ、製造コストの低減に貢献できる。
【００４７】
また、１つの展開画像を参照して良否判定を行うことから、この判定の自動化が容易である。また、接続ポール２９の外観を１周以上の範囲に亘って撮影する際、ＣＣＤカメラ５１及び支持回転装置５２の両方を回転させることが考えられるが、支持回転装置５２側のみを回転させるため、回転装置を簡素な構成とすることができる。
【００４８】
（２）接続ポール２９の外観が周方向の所定角度範囲（十数度又は数十度範囲）毎に分割されて撮影され、分割された画像を合成して展開画像を生成するようにしている。これにより、ＣＣＤカメラ５１が接続ポール２９の側面から一度に撮影可能な範囲以下で撮影し、それを合成するだけで展開画像を生成できるため、回転させながら撮影するといった複雑な撮影手法を用いないで、容易に展開画像を生成することができる。
【００４９】
（３）展開画像を表示部５４にて表示し、表示した展開画像に基づいて接続部Ｘの良否判定を行っているため、画像表示により良否判定をより確実に行うことができる。
（４）溶接後玉状となる半田３０に突入する巻線端部２５ａの突入部分２５ｂの線径若しくは断線に基づいて接続部Ｘの良否判定を行っている。つまり、溶接時の熱及び応力集中により、巻線端部２５ａの突入部分２５ｂに細り（縮径）や断線が生じ易いため、これに着目し、その突入部分２５ｂの線径が正常範囲内か、細りや断線が生じているかを判定するだけで、容易かつ確実に接続部Ｘの良否判定を行うことができる。
【００５０】
（５）半田３０に突入する巻線端部２５ａの突入部分２５ｂを１箇所に設定しているため、接続部Ｘの良否判定を行う突入部分２５ｂの特定が容易で、判定も１箇所で済み容易である。換言すれば、本実施の形態のレゾルバステータ２２は、その接続部Ｘの良否判定に好適な構造となっている。
【００５１】
（６）溶接後玉状となる半田３０に包含されない部分においても巻き付け部分が残るように、巻線端部２５ａの接続ポール２９への巻き付けを行っているため、巻線端部２５ａの突入部分２５ｂに負荷が加わり難く該突入部分２５ｂが安定するため、半田３０への突入部分２５ｂが１箇所となる良好な溶接が容易である。
【００５２】
尚、本発明の実施の形態は、以下のように変更してもよい。
・上記実施の形態では、表示部５４にて表示された接続部Ｘの展開画像から作業者が良否判定を行っているが、例えば図４に破線で示すように判定部５５を設け、接続部Ｘの展開画像の画像解析等に基づいて判定部５５が自動で良否判定を行うようにしてもよい。この場合、作業者による判定を省略でき、製造コストの低減に貢献できる。しかも、上記良否判定を行う際に有効な巻線端部２５ａの突入部分２５ｂのみに着目し、更にその突入部分２５ｂは１箇所であることから、判定の自動化が容易である。また、判定を自動化した場合、表示部５４にて展開画像の表示を行わないようにすることが可能となり、この場合、例えば良否のみを通知する旨の表示としてもよい。
【００５３】
・上記実施の形態では、ＣＣＤカメラ５１と支持回転装置５２とを交互に駆動して所定角度範囲の分割画像データを順次取得し、これを合成して接続ポール２９の外観の展開画像データを生成したが、支持回転装置５２による回転駆動を行いつつＣＣＤカメラ５１の撮影を同時に行って展開画像データを生成してもよい。
【００５４】
・上記実施の形態では、ＣＣＤカメラ５１の全体の撮影範囲を接続ポール２９の１周（３６０°）よりも若干広い範囲としたが、ＣＣＤカメラ５１の全体の撮影範囲を、１方向から観ることができない部分を含む接続ポール２９の半周（１８０°）よりも広い範囲で１周（３６０°）未満としてもよい。例えば、巻線端部２５ａの接続ポール２９のへの巻き付け方法によっては突入部分２５ｂが接続ポール２９の周方向において１周（３６０°）に至らない範囲に限定される場合があり、このような場合等においては、ＣＣＤカメラ５１の全体の撮影範囲を接続ポール２９の半周よりも広く１周未満としてもよい。
【００５５】
・上記実施の形態では、接続ポール２９の外観の展開画像データを生成する際、支持回転装置５２側のみを回転させたが、ＣＣＤカメラ５１側のみを回転さてもよく、またＣＣＤカメラ５１及び支持回転装置５２の両方を回転させてもよい。
【００５６】
・上記実施の形態では、複数の接続ポール２９がそれぞれ回転中心となるようにレゾルバステータ２２の支持位置を変更して各接続ポール２９それぞれの外観撮影を行ったが、複数の接続ポール２９を互いに干渉せず一度の外観撮影を可能に構成し、レゾルバステータ２２の支持位置を変更する手間を省略してもよい。
【００５７】
・上記実施の形態では、ＣＣＤカメラ５１にて接続ポール２９の外観の画像データを得るようにしているが、画像データが得られるＣＣＤカメラ５１以外の撮影装置に置き換えてもよい。
【００５８】
・上記実施の形態では、半田３０に突入する巻線端部２５ａの突入部分２５ｂを１箇所に設定し、その突入部分２５ｂにて接続部Ｘの良否判定を行うようにしているが、接続部の良否判定を行うための巻線端部の突入部分を２以上の複数箇所に設定してもよい。
【００５９】
・上記実施の形態では、接続ポール２９を四角棒状としたが、四角形以外の多角棒状や円棒状であっても良い。また、接続ポール２９は５本であったが、本数はこれに限らない。
【００６０】
・上記実施の形態では、レゾルバ巻線２５と接続ポール２９との接続部Ｘの良否判定に適用したが、レゾルバ以外の巻線と接続端子との接続部や、巻線以外の導線と接続端子との接続部等の良否判定に適用してもよい。
【図面の簡単な説明】
【００６１】
【図１】本実施の形態におけるブラシレスモータの断面図である。
【図２】（ａ）はレゾルバの平面図であり、（ｂ）は（ａ）のＡ−Ａ断面図である。
【図３】（ａ）（ｂ）は、接続ポール先端の接続部を説明する側面図である。
【図４】接続部の接続状態を検査する検査装置の概略構成図である。
【図５】（ａ）〜（ｅ）は、検査手法を説明するための説明図である。
【符号の説明】
【００６２】
２２…検査対象物としてのレゾルバステータ、２５…導線としてのレゾルバ巻線、２５ａ…巻き付け部分である巻線端部、２５ｂ…突入部分、２９…接続端子としての接続ポール、３０…溶着部材としての半田、５１…撮影手段及び撮影装置としてのＣＣＤカメラ、５２…支持手段、支持装置及び回転装置としての支持回転装置、５３…データ処理装置、５４…表示手段としての表示部、Ｘ…接続部。
【図１】
0004768341.tif 000002
【図２】
0004768341.tif 000003
【図３】
0004768341.tif 000004
【図４】
0004768341.tif 000005
【図５】
0004768341.tif 000006